(57)【特許請求の範囲】
【請求項１】
植木鉢であって、
上方が開放される筒状の部分である側部と、
前記側部の下方の縁に周囲を繋げ中心部を下方に下げる底部と、
を備え、
下方から見て前記底部に中心部から四方にばらけて放射状に延びる少なくとも３つの領域が区画され、
前記底部の前記領域での厚みである第一厚みが前記底部の前記領域を除く箇所のうちの前記底部の上下に延びる中心軸に沿って垂直面で切った断面を見て前記底部の下方から斜め上方に立ち上がり前記側部の下方の縁に繋がるまでの部分での厚みである第二厚みより薄い、
ことを特徴とする植木鉢。
【請求項２】
前記底部に前記領域を埋める様に多数の貫通穴が形成される、
ことを特徴とする請求項１に記載の植木鉢。
【請求項３】
前記第二厚みは前記底部の下面を平面状の支持面で支持したときに植木鉢が自立できるのに必要な厚みであり、
前記第一厚みは前記底部の中心部を指で上方に押すと前記領域の内側が撓むことにより前記底部の中心部が上方に凹むのに必要な厚みである、
ことを特徴とする請求項１又は２のうちの一つに記載の植木鉢。
【請求項４】
植木鉢であって、
上方が開放される筒状の部分である側部と、
前記側部の下方の縁に周囲を繋げ中心部を下方に下げる底部と、
を備え、
下方から見て前記底部に中心部から四方にばらけて放射状に延びる少なくとも３つの領域が区画され、
前記底部の下面を平面状の支持面で支持したときに植木鉢が自立でき、
前記底部の中心部を指で上方に押すと前記領域の内側が撓むことにより前記底部の中心部が上方に凹む、
ことを特徴とする植木鉢。
【請求項５】
前記底部に前記領域を埋める様に多数の貫通穴が形成される、
ことを特徴とする請求項４に記載の植木鉢。
【発明の詳細な説明】
【技術分野】
【０００１】
本発明は、植木鉢に係る。
【背景技術】
【０００２】
植物を栽培するのに植木鉢が用いられることがある。
植木鉢は、利用の態様に応じて、各種の特性を求められる。
例えば、植木鉢は、見栄えが良いことを求められる。
例えば、植木鉢は、適度な水はけを求められる。
例えば、植木鉢は、育った植物の植え替えが容易であることを求められる。
例えば、植木鉢は、周囲から害虫が入り込まないことを求められる。
例えば、植木鉢は、通気性を求められる。
例えば、植木鉢は、栽培用土が出来るだけ流出しないことが求められる。
【発明の開示】
【発明が解決しようとする課題】
【０００３】
本発明は以上に述べた市場の要望に鑑み案出されたもので、簡易な構造により使いやすい植木鉢を提供しようとする。
【課題を解決するための手段】
【０００４】
上記目的を達成するため、本発明にかかる植木鉢を、上方が開放される筒状の部分である側部と、前記側部の下方の縁に周囲を繋がり中心部を下方に下げる底部と、を備え、下方から見て前記底部に中心部から四方にばらけて放射状に延びる少なくとも３つの領域が区画され、前記底部の前記領域での厚みである第一厚みが前記底部の前記領域を除く主な箇所での厚みである第二厚みより薄い、ものとした。
【０００５】
上記本発明の構成により、側部が、上方が開放される筒状の部分である。底部が、前記側部の下方の縁に周囲を繋へ中心部を下方に下げる。下方から見て前記底部に中心部から四方にばらけて放射状に延びる少なくとも３つの領域が区画される。前記底部の前記領域での厚みである第一厚みが前記底部の前記領域を除く主な箇所での厚みである第二厚みより薄い。
その結果、前記第一厚みと前記第二厚みとを相対的に選択して、所望の剛性をもつ植木鉢を提供できる。
【０００６】
以下に、本発明の実施形態に係る機械装置支持構造を説明する。本発明は、以下に記載した実施形態のいずれか、またはそれらの中の二つ以上が組み合わされた態様を含む。
【０００７】
また、本発明の実施形態に係る植木鉢は、前記底部に前記領域を埋める様に多数の貫通穴が形成される。
上記本発明に係る実施形態の構成により、前記底部に前記領域を埋める様に多数の貫通穴が形成される。
その結果、前記貫通穴の大きさを前記第一厚みに対応して選択でき、所望の水はけ性能をもつ植木鉢を提供できる。
【０００８】
また、本発明の実施形態に係る植木鉢は、前記第二厚みは前記底部の下面を平面状の支持面で支持したときに植木鉢が自立できるのに必要な厚みであり、前記第一厚みは前記底部の中心部を指で上方に押すと前記領域の内部に皺が寄って前記底部の中心部が上方に凹むのに必要な厚みである。
上記本発明に係る実施形態の構成により、前記第二厚みは前記底部の下面を平面状の支持面で支持したときに植木鉢が自立できるのに必要な厚みである。前記第一厚みは前記底部の中心部を指で上方に押すと前記領域の内部が撓むことにより前記底部の中心部が上方に凹むのに必要な厚みである。
その結果、通常は平面上の支持面に自立でき、必要なとき指で前記底部の中心部を上方に押して植木鉢から植物を押し上げることができる植木鉢を提供できる。
【発明の効果】
【０００９】
以上説明したように、本発明に係る機械装置支持構造は、その構成により、以下の効果を有する。
上方が開放される筒状の側部の下方に縁に周囲を繋げ中心部を下方に下げる前記底部に中心部から周囲に向かって放射状に延びる少なくとも３つの領域が区画され、前記底部の前記領域での厚みである第一厚みが前記底部の前記領域を除く主な箇所での厚みである第二厚みより薄い様にしたので、前記第一厚みと前記第二厚みとを相対的に選択して、所望の剛性をもつ植木鉢を提供できる。
また、前記底部に前記領域を埋める様に多数の貫通穴が形成される様にしたので、前記貫通穴の大きさを前記第一厚みに対応して選択でき、所望の水はけ性能をもつ植木鉢を提供できる。
また、前記第二厚みは前記底部の下面を平面状の支持面で支持したときに植木鉢が自立できるのに必要な厚みであり、前記第一厚みは前記底部の中心部を指で上方に押すと前記領域の内側が撓むことにより前記底部の中心部が上方に凹むのに必要な厚みである様にしたので、通常は平面上の支持面に自立でき、必要なとき指で前記底部の中心部を上方に押して植木鉢から植物を押し上げることができる植木鉢を提供できる。
【図面の簡単な説明】
【００１０】
【図１】本発明の実施形態に係る植木鉢の斜視図である。
【図２】本発明の実施形態に係る植木鉢に平面図である。
【図３】本発明の実施形態に係る植木鉢のＡ−Ａ断面図である。
【図４】本発明の実施形態に係る植木鉢の底面図である。
【図５】本発明の実施形態に係る植木鉢の底面概念図である。
【図６】本発明の実施形態に係る植木鉢のＢ部拡大図である。
【図７】本発明の実施形態に係る植木鉢のＣ−Ｃ断面図である。
【図８】本発明の実施形態に係る植木鉢の作用説明図である。
【発明を実施するための形態】
【００１１】
以下、本発明を実施するための最良の形態を、図面を参照して説明する。
【００１２】
最初に、本発明の実施形態に係る植木鉢を、図を基に、説明する
図１は、本発明の実施形態に係る植木鉢の斜視図である。図２は、本発明の実施形態に係る植木鉢に平面図である。図３は、本発明の実施形態に係る植木鉢のＡ−Ａ断面図である。図４は、本発明の実施形態に係る植木鉢の底面図である。図５は、本発明の実施形態に係る植木鉢の底面概念図である。図６は、本発明の実施形態に係る植木鉢のＢ部拡大図である。図７は、本発明の実施形態に係る植木鉢のＣ−Ｃ断面図である。図８は、本発明の実施形態に係る植木鉢の作用説明図である。
【００１３】
植木鉢は、植物を栽培するための容器である。
植木鉢は、いわゆる植木鉢、プランター、育苗用ポットを含む。
【００１４】
植木鉢は、側部１０と底部２０とで構成される。
植木鉢は、側部１０と底部２０と脚部３０とで構成されてもよい。
植木鉢は、側部１０と底部２０とリブ部４０とで構成されてもよい。
植木鉢は、側部１０と底部２０と脚部４０とリブ部４０とで構成されてもよい。
【００１５】
植木鉢は、一体成型されたものでもよい。
植木鉢は、樹脂製であってもよい。
植木鉢は、光透過性の高い樹脂製であってもよい。
例えば、植木鉢は、ポリププロピレン樹脂製、ポリエステル樹脂製、アクリル樹脂製、  繊維強化プラスチック製のうちの一つであってもよい。
【００１６】
側部１０は、上方が開放される筒状の部分である。
側部１０の下方の縁が、底部２０の周囲に繋がる。
側部１０の下方の縁が、底部２０の周囲に滑らかに繋がってもよい。
側部１０の下方の縁が、底部２０の周囲に段差なく滑らかに繋がってもよい。
側部１０の上方の縁が、フランジ状になっていてもよい。
側部１０の主要な箇所での厚みが第三厚みＴ３である。
【００１７】
側部１０は、円形または多角形の輪郭をもつ筒状であってもよい。
側部１０は、上方から下方に移動するに従って輪郭の寸法が小さくなる筒状であってよい。
【００１８】
底部２０は、側部１０の下方の縁に周囲を繋げ中心部Ｃを下方に下がる部分である。
底部２０は、第一底部２１と第二底部２２とで構成されてもよい。
第一底部２１は、上方から下方に移動するに従って直径が小さくなる円錐状の部分である。  第一底部２１の上方の周囲が側部１０の下方の縁に繋がる。
第二底部２２は、平板状の板構造であって、外周を第一底部の下方の縁に繋がる。
【００１９】
下方から見て、底部２０に中心部Ｃから四方にばらけて放射状に延びる少なくとも３つの領域Ｋが区画される。
下方から見て、底部２０に中心部Ｃから四方に別れて放射状に延びる少なくとも３つの領域Ｋが区画されてもよい。
下方から見て、底部２０に中心部Ｃから四方に分離して放射状に延びる少なくとも３つの領域Ｋが区画されてもよい。
例えば、下方から見て、底部２０に中心部Ｃから四方にばらけて放射状に延びるＮ（Ｎ＝３、４、５、６・・・）この領域Ｋが区画される。
例えば、下方から見て、底部２０に中心部Ｃから四方に３６０°を所定の間隔でばらけて放射状に延びる少なくとも３つの領域Ｋが区画される。
例えば、下方から見て、底部２０に中心部Ｃから四方に３６０°を略等間隔にばらけて放射状に延びる少なくとも３つの領域Ｋが区画される。
例えば、下方から見て、底部２０に中心部Ｃから四方にばらけて放射状に延びる６つの領域Ｋが区画される。
図５に、底部２０に６つの領域Ｋが区画される様子を示す。
図５は、理解の容易のために領域Ｋの内側を省略している。
複数の領域Ｋは、中央部Ｃで分離していてもよい。
複数の領域Ｋは、中央部Ｃで繋がっていてもよい。
図５に、６つの領域Ｋが中央部Ｃで畝状の部分である畝部２４により分離している様子を示す。
図５に、底部２０に６つの領域Ｋが第一底部２１と第二底部２２とに跨がって区画される様子を示す。
【００２０】
底部２０の領域Ｋに区画される箇所は、領域Ｋを除く箇所と一体成型されてもよい。
底部２０の領域Ｋに区画される箇所は、領域Ｋを除く箇所とは別個に成型されて合体されたものでもよい。
【００２１】
底部２０に多数の貫通穴２３が形成されてもよい。
底部２０に領域Ｋを埋める様に多数の貫通穴が形成されてもよい。
貫通穴の短辺または短径が、０・２ｍｍ以上１．５ｍｍ以下であってもよい。、
図４に、底部２０に領域Ｋを埋める様に多数の貫通穴２３が形成される様子を示す。
図６、７は、貫通穴２３の付近を拡大表示したものである。
図６は、貫通穴２３は、略矩形の輪郭をもつ穴である。
図６は、複数の平行線が互いに交差するメッシュ状の部分であるメッシュ部２５により貫通穴２３を形成する様子を示す。
【００２２】
底部２０の領域Ｋでの厚みが、第一厚みＴ１である。
図７は、メッシュ部２５の厚みが第一厚みＴ１である様子を示す。
底部２０の領域Ｋを除く主要な箇所での厚みが、第二厚みＴ２であある。
第二厚みＴ２と第三厚みＴ３とは、同寸法であってもよい。
第一厚みＴ１は、第二厚みＴ２より薄い。
【００２３】
第二厚みＴ２は、底部２０の下面を平面状の支持面で支持したときに植木鉢が自立できるのに必要な厚みであってもよい。
第一厚みＴ１は、底部２０の中心部Ｃを指で上方に押すと領域Ｋの内側が撓むことにより底部２０の中心部Ｃが上方に凹むのに必要な厚みである。
例えば、第一厚みＴ１は、底部２０の中心部Ｃを指で上方に押すと領域Ｋの内側に皺が寄って底部２０の中心部Ｃが上方に凹むのに必要な厚みである。
【００２４】
植木鉢を射出成形により成形するときに、射出成形時に、領域Ｋの内側から金型の隙間に射入し金型の畝部を形成する隙間に流す。その結果、樹脂が領域Ｋの内側の貫通穴２３を形成するメッシュ部２５に隅々に行き渡り、成形不良の低減、生産性の向上を図ることができる。
金型のエジェクタピンがガスベント機能を有しており、メッシュ部３４を形成する箇所にエジェクタピンを設けてもよい。
【００２５】
脚部３０は、底部２０の下面に形成され、植木鉢を支持面Ｓに置いたときに、支持面Ｓに接触する部分である。
脚部３０は、底部２０の第二厚みＴ２のある箇所に形成される。
図４、５には、脚部３０が底部２０の第二厚みＴ２のある箇所に形成される様子を示す。
【００２６】
リブ部４０は、底部２０の内側に起立する様に形成される部分である。
リブ部４０は、底部２０の剛性が大きくなる様に、底部２０を補強する。
図２は、領域Ｋを挟んで第一底部２１と第二底部２２との境を跨ぐ様に形成される様子を示す。
【００２７】
以下に、本発明の実施形態にかかる植木鉢の作用を説明する。
【００２８】
植木鉢に培養土を入れ、植物を植える。
水を植木鉢にまくと、土にしみ込み、余分な水が底部２０に設けられた貫通孔２３から通水する。
植木鉢を支持面Ｓに正置させる。
脚部３０が、士地面Ｓに接し、植木鉢が自立する。
【００２９】
植物が大きく育つと、植物をより大きい植木鉢に植え替えなければならなくなる。
植木鉢を持ち上げ、底部２０の中心部Ｃを上方に押す。
底部２０の中心部ｃが上り、植物の根を含む培養土が持ち上がる。
図８に、底部２０の中心部Ｃを指で上方に押すと領域Ｋの内側に皺が寄って底部２０の中心部Ｃが上方に凹む様子が示される。
植物を、より大きな植木鉢へ植え替える。
【００３０】
以上説明したように、本発明の実施形態に係る植木鉢は、その構成により、以下の効果を有する。
上方が開放される筒状の側部１０の下方に縁に周囲を繋げ中心部を下方に下げる底部２０に中心部Ｃから四方に３６０°を等間隔にばらけて放射状に延びる６つの領域Ｋが区画され、底部２０の領域Ｋでの厚みである第一厚みＴ１が底部２０の領域を除く主な箇所での厚みである第二厚みＴ２より薄い様にしたので、第一厚みＴ１と第二厚みＴ２とを相対的に選択して、所望の剛性をもつ植木鉢を提供できる。
また、底部２０に領域Ｋを埋める様に多数の貫通穴２３が形成される様にしたので、貫通穴２３の大きさを第一厚みＴ１に対応して選択でき、所望の水はけ性能をもつ植木鉢を提供できる。
また、第二厚みＴ２は底部２０の下面を平面状の支持面で支持したときに植木鉢が自立できるのに必要な厚みであり、第一厚みＴ１は底部２０の中心部を指で上方に押すと領域の内側が撓むことにより底部の中心部が上方に凹むのに必要な厚みである様にしたので、通常は平面上の支持面Ｓに自立でき、必要なとき指で底部２０の中心部Ｃを上方に押して植木鉢から植物を押し上げることができる植木鉢を提供できる。
その結果、例えば見栄えが良い、例えば適度な水はけが可能な、例えば育った植物の植え替えが容易である、例えば周囲から害虫が入り込まない、例えば通気性をもつ、例えば栽培用土の漏れがすくない、植木鉢を提供できる。
【００３１】
本発明は以上に述べた実施形態に限られるものではなく、発明の要旨を逸脱しない範囲で各種の変更が可能である。
【符号の説明】
【００３２】
S  支持面
Ｃ  中心部
Ｋ  領域
１０  側部
１１  縁
２０  底部
２１  第一底部
２２  第二底部
２３  貫通穴
２４  畝部
２５  メッシュ部
３０  脚部
４０  リブ部
【先行技術文献】
【特許文献】
【００３３】
【特許文献１】実用新案登録第３１６５７２４号
【図１】
0006355612.tif 000002
【図２】
0006355612.tif 000003
【図３】
0006355612.tif 000004
【図４】
0006355612.tif 000005
【図５】
0006355612.tif 000006
【図６】
0006355612.tif 000007
【図７】
0006355612.tif 000008
【図８】
0006355612.tif 000009